(57)【要約】【課題】背の低い人の利用に便宜であり、あるいはまた、一定の設置面積のなかで、より背を高くして収容能力の拡張を図ることができる冷蔵庫を提供する。【解決手段】冷蔵庫は、足台装置３６が、冷蔵庫の本体の底面下に画成した空間部に設けられる踏み板３８と、踏み板３８を冷蔵庫３４の前方に前進および後退可能に駆動する駆動手段４２と、冷蔵庫の前方に前進した踏み板３８を昇降可能に駆動する駆動手段４０とを有する。メインスイッチをＯＮすると、押し出し用モータ６４が駆動されて正回転し昇降装置ベース４４に搭載された踏み板３８が冷蔵庫３４の前方に露出し、押し出し用モータ６４が停止する。ついで、昇降用モータ４６が駆動されて正回転し、踏み板３８が上昇し、昇降用モータ４６が停止する。この状態で、踏み板３８に足を乗せて冷蔵庫の最上部の収容部へ食品等を出し入れする作業を行う。【選択図】図８
0003116505.tif 000002
【実用新案登録請求の範囲】
【請求項１】
実質的に最下部まで収容部が設けられた冷蔵庫において、
側面下部または前面下部に足台装置を有することを特徴とする冷蔵庫。
【請求項２】
前記足台装置が、冷蔵庫の前面カバー開放側の側面の下部に突設されるとともに、さらに、該側面の上部に取っ手が突設されてなることを特徴とする請求項１記載の冷蔵庫。
【請求項３】
前記足台装置が、冷蔵庫の前面カバー開放側の側面の下部に折り畳み可能におよび引き出して前面カバーの前方に配置可能に設けられる踏み板であることを特徴とする請求項１記載の冷蔵庫。
【請求項４】
前記足台装置が、冷蔵庫の前面カバー開放側の側面の下部に折り畳み可能におよび引き出して組み立てて前面カバーの前方に配置可能に設けられる脚付踏み板であることを特徴とする請求項１記載の冷蔵庫。
【請求項５】
前記足台装置が、冷蔵庫の最下部の収容部の前面カバーに冷蔵庫の最下部の収容部の前面カバーに折り畳み可能におよび引き出して組み立てて前面カバーの前方に配置可能に設けられる脚付踏み板であることを特徴とする請求項１記載の冷蔵庫。
【請求項６】
前記足台装置が、冷蔵庫本体の底面下に画成した空間部に設けられる踏み板と、該踏み板を冷蔵庫の前方に前進および後退可能に駆動する駆動手段と、冷蔵庫の前方に前進した該踏み板を昇降可能に駆動する駆動手段とを有することを特徴とする請求項１記載の冷蔵庫。
【請求項７】
最上部の収容部の開口側の上部または前面カバーに、収容部の奥を映す鏡をさらに設けてなることを特徴とする請求項１〜６のいずれか１項に記載の冷蔵庫。
【考案の詳細な説明】
【技術分野】
【０００１】
本考案は、背の高い大型冷蔵庫に関するものである。
【背景技術】
【０００２】
昨今の冷蔵庫は、家庭の台所の限られた設置面積のなかで収容容積をできる限り大きくすることが求められている。このため、圧縮機や冷却器等の冷却機能部品を極力小型化し、あるいはまた、断熱性の強化された厚みの薄い壁材を用いるとともに、さらにまた、背を高くして、その上部まで収容部を設けることが行われている。
【０００３】
このような背の高い大型冷蔵庫は、背の低い人が利用するときに、上部の収容部に奥まで収容された食品等の在庫状況を確認し、あるいは収容された食品等を出し入れする作業が煩雑である。また、このように高さの制約を受けるために、蔵庫の背を高くすることに限界があり、台所の限られた設置面積に置かれた冷蔵庫の上方に収容能力上無駄な空間部が残る。
【０００４】
このような不具合を改善することを目的として、冷蔵庫前方に踏み台を設けることが提案されている。具体的には、高さのある機械室の前面に設けられた機械室カバーを利用して、これと一体的に踏み台を設けるものである（特許文献１参照。）。
【特許文献１】実公平４−４２７０６号公報
【考案の開示】
【考案が解決しようとする課題】
【０００５】
上記従来例（特許文献１）は、上記のように高さのある機械室の前面に設けられた機械室カバーを利用して、これと一体的に踏み台を設けるものであるが、前記のとおり、昨今の冷蔵庫は実質的に最下部まで収容部が設けられており、機械室カバーが存在しない。このため、昨今の冷蔵庫に上記の従来技術を適用することはできない。
【０００６】
本考案は、上記の課題に鑑みてなされたものであり、実質的に最下部まで収容部が設けられた冷蔵庫において、背の低い人の利用に便宜であり、あるいはまた、一定の設置面積のなかで、より背を高くして収容能力の拡張を図ることができる冷蔵庫を提供することを目的とする。
【課題を解決するための手段】
【０００７】
本考案に係る冷蔵庫は、実質的に最下部まで収容部が設けられた冷蔵庫において、側面下部または前面下部に足台装置を有することを特徴とする。
【０００８】
また、本考案に係る冷蔵庫は、前記足台装置が、冷蔵庫の前面カバー開放側の側面の下部に突設されるとともに、さらに、該側面の上部に取っ手が突設されてなることを特徴とする。
【０００９】
また、本考案に係る冷蔵庫は、前記足台装置が、冷蔵庫の前面カバー開放側の側面の下部に折り畳み可能におよび引き出して組み立てて前面カバーの前方に配置可能に設けられる脚付踏み板であることを特徴とする。
【００１０】
また、本考案に係る冷蔵庫は、前記足台装置が、冷蔵庫の前面カバー開放側の側面の下部に折り畳み可能におよび引き出して前面カバーの前方に配置可能に設けられる踏み板であることを特徴とする。
【００１１】
また、本考案に係る冷蔵庫は、前記足台装置が、冷蔵庫の最下部の収容部の前面カバーに冷蔵庫の最下部の収容部の前面カバーに折り畳み可能におよび引き出して組み立てて前面カバーの前方に配置可能に設けられる脚付踏み板であることを特徴とする。
【００１２】
また、本考案に係る冷蔵庫は、前記足台装置が、冷蔵庫本体の底面下に画成した空間部に設けられる踏み板と、該踏み板を冷蔵庫の前方に前進および後退可能に駆動する駆動手段と、冷蔵庫の前方に前進した該踏み板を昇降可能に駆動する駆動手段とを有することを特徴とする。
【００１３】
また、本考案に係る冷蔵庫は、最上部の収容部の開口側の上部または前面カバーに、収容部の奥を映す鏡をさらに設けてなることを特徴とする。
【考案の効果】
【００１４】
本考案の冷蔵庫は、実質的に最下部まで収容部が設けられた冷蔵庫において、側面下部または前面下部に足台装置を有するため、足台装置に乗って冷蔵庫の上部の収容部に収容された食品等の在庫状態を確認し、かつ食品等を出し入れできるので、背の低い人の利用に便宜であり、あるいはまた、一定の設置面積のなかで、より背を高くして収容能力の拡張を図ることができるという利点がある。
【考案を実施するための最良の形態】
【００１５】
本考案の実施の形態について、図を参照して説明する。
【００１６】
本考案に係る冷蔵庫は、実質的に最下部まで収容部が設けられた冷蔵庫において、側面下部または前面下部に足台装置を有する。
ここで、実質的に最下部まで収容部が設けられたとは、冷蔵庫の外殻下部、言い換えれば本体壁の底面部や、本体壁の底面部と最下部の収容部との間に設けられる、収容部引き出し用のガイド等に必要な高さ部分を除いて冷蔵庫のほぼ底面近くまで収容部が設けられていることを言う。また、足台装置は、使用時において、人がその上に乗ったときに最上部の収容部を覗くことができ、また、最上部の収容部に収容された食品等を容易に出し入れできる程度の高さ位置に設ける。
足台装置を構成する各部材は、人の重さに耐えるとともに耐久性のある、適宜の寸法の金属材料等で形成することができる。
【００１７】
これにより、背の低い人の利用に便宜であり、あるいはまた、一定の設置面積のなかで、より背を高くして冷蔵庫の収容能力の拡張を図ることができる。
【００１８】
また、本考案に係る冷蔵庫は、最上部の収容部の開口側の上部または前面カバーに、収容部の奥を映す鏡が設けられる。
【００１９】
これにより、背の低い人であっても、鏡を見ることで、足台装置を使用しなくても最上部の収容部の収容状態を確認することができ、また、足台装置を使用して最上部の収容部への食品等の出し入れを行う作業が容易となる。
【００２０】
本考案の第１の実施の形態例に係る冷蔵庫について、図１の冷蔵庫の斜視図を参照して説明する。
【００２１】
第１の実施の形態例に係る冷蔵庫１０は、例えば４段の収容部１２ａ〜１２ｄが設けられた背の高い大型冷蔵庫であり、各収容部１２ａ〜１２ｄはそれぞれ右開きして前面左側を開放部とする前面カバー１４ａ〜１４ｄが設けられている。
最上部の収容部１２ａは、例えば冷凍用であり、冷蔵食品等が収容される。他の収容部１２ｂ〜１２ｄは、例えば、冷蔵用、野菜保存用である。但し、これに限らず、使い勝手に応じて収容部１２ａ〜１２ｄの用途は変更される。
【００２２】
冷蔵庫１０の前面カバー１４ａ〜１４ｄの開放側の側面（図１中、左側面）の下部に、足台装置１６が突設される。足台装置１６は、例えばアングル状の部材であり、図１中、水平部分の幅寸法（突出寸法）は、足の幅よりも大きく形成される。
冷蔵庫１０には、さらに、足台装置１６が設けられる側面の上部に、例えばコ字状の取っ手１８が設けられる。
また、冷蔵庫１０の最上部の収容部１２ａの開口側（入り口）の上部には、収容部の奥を映すことができる位置に、例えば凸面鏡２０が設けられる。
【００２３】
冷蔵庫１０を利用するとき、足台装置１６に片足を乗せることにより、背の低い人であっても足台装置１６を使用して最上部の収容部１２ａへの食品等の出し入れを行う作業が容易となる。また、普通の背の高さの人が利用する冷蔵庫１０の高さ寸法をより高くすることができ、収容能力を大きくすることができる。この場合、足台装置１６を取り付ける冷蔵庫１０の側面は、前面カバー１４ａ〜１４ｄの開放側に限定するものではなく、例えば、前面カバー１４ａ〜１４ｄが両面開き（観音開き）であれば、左右どちらの側面に設けてもよい。また、足を乗せることができるものであれば、足台装置１６を適宜の形状、寸法に形成することができる。
また、足台装置１６に片足を乗せるとともに、取っ手１８を手で掴むことにより、安定した姿勢で、空いた方の手で食品等の出し入れを行うことができる。この場合、取っ手１８は適宜の形状とすることができる。
また、凸面鏡２０を見ることで、冷蔵庫１０の最上部の収容部１２ａの収容状況を容易に確認することができる。この場合、凸面鏡２０に代えて凹面鏡や平面鏡を用いてもよく、また、鏡を前面カバーの内側に設けてもよい。
【００２４】
本考案の第２の実施の形態例に係る冷蔵庫について、図２および図３の冷蔵庫の部分斜視図を参照して説明する。
【００２５】
第２の実施の形態例に係る冷蔵庫２２は、足台装置２４が、冷蔵庫２２の前面カバー１４ｄの開放側の側面の下部に折り畳み可能におよび引き出して前面カバー１４ｄの前方に配置可能に設けられる踏み板２４ａである。
すなわち、足台装置２４は、踏み板２４ａとアングル状の支持部材２４ｂを有する。そして、踏み板２４ａは端部に設けた環状部を支持部材２４ｂの一辺に挿通することで、回動可能に支持部材２４ｂに取り付けられる。なお、支持部材２４ｂの一辺には、ストッパーとしての突起２４ｃが設けられる。支持部材２４ｂの他の一辺の先端部は、冷蔵庫に固着した環状ホルダ２４ｄに実質的に嵌挿されて、支持部材２４が冷蔵庫２２の側面に対して回動可能に取り付けられる。なお、図３に示すように、環状ホルダ２４ｄは９０度分を残してスリット２４ｅが形成されており、一方、支持部材２４ｂにはスリット２４ｅに挿入される突起２４ｆが形成されており、支持部材２４ｂを回動するとき、突起２４ｆが環状ホルダ２４ｄのスリット２４ｅ内を移動し、スリット２４ｅの端部に当接することでロックされる。
【００２６】
図２に示す足台装置２４を冷蔵庫２２の側面に折り畳んだ状態から引き出して図３に示す状態にして使用するとき、まず、支持部材２４ｂを回動させて踏み板２４ａを冷蔵庫の前方に引き出す。このとき、支持部材２４ｂの突起２４ｆが環状ホルダ２４ｄのスリット２４ｅの端部に係合することで、踏み板２４ａの取り付けられた支持部材２４ｂの一辺が水平位置に固定される。
ついで、踏み板２４ａを回動させると、踏み板２４ａが支持部材２４ｂの突起２４ｃに係合することで、踏み板２４ａが前面カバー１４ｄの前方の水平位置に固定される。
【００２７】
冷蔵庫２２を利用するとき、足台装置２４の踏み板２４ａに足を乗せることで、第１の実施の形態例と同様の効果を得ることができる。
【００２８】
本考案の第３の実施の形態例に係る冷蔵庫について、図４および図５の冷蔵庫の部分斜視図を参照して説明する。
【００２９】
第３の実施の形態例に係る冷蔵庫２６は、第２の実施の形態例に係る冷蔵庫２２とほぼ同様の構成を有する。
すなわち、冷蔵庫２６は、冷蔵庫２２の足台装置２４と同様に、踏み板２８ａ、支持部材２８ｂおよび環状ホルダ２８ｄ等で構成される足台装置２８を有する。
【００３０】
冷蔵庫２６が冷蔵庫２２と異なる点は、足台装置２８の踏み板２８ａに一対の脚部２８ｇ、２８ｇが開閉可能に折り畳まれていることである。足台装置２４と同様に踏み板２８ａを冷蔵庫２６の前面カバー１４ｄの前の水平状態に配置した後、さらに脚部２８ｇ、２８ｇを開いて床上に立てることにより、人の重さが脚部２８ｇ、２８ｇによって支えられるため、足台装置２８の各部の強度を軽減することができる。
第３の実施の形態例に係る冷蔵庫２６は、第１および第２の実施の形態例と同様の効果を得ることができる。
【００３１】
本考案の第４の実施の形態例に係る冷蔵庫について、図６および図７の冷蔵庫の部分斜視図を参照して説明する。
【００３２】
第４の実施の形態例に係る冷蔵庫３０は、足台装置３２が、冷蔵庫３０の最下部の収容部１２ｄの前面カバー１４ｄに折り畳み可能におよび引き出して組み立てて前面カバーの前方に配置可能に設けられる、１対の脚部（脚付）３２ａ、３２ａを有する踏み板（脚付踏み板）３２ｂである。
すなわち、足台装置３２は、使用しないときには前面カバー１４ｄの外表面に形成される凹部３４に収容され、使用するときには引き出して、踏み板３２ｂを前面カバー１４ｄの前方のほぼ水平位置に置いた状態で１対の脚部３２ａ、３２ａを開いて床上に置く。
【００３３】
これにより、冷蔵庫の側面に足台装置を設けられない状況下でも足台装置を設けることができ、また、人の重さが脚部３２ａ、３２ａによって支えられるため、踏み板３２ｂおよび前面カバー１４ｄ等に対する負担を軽減することができる。
第４の実施の形態例に係る冷蔵庫２６は、第１〜第３の実施の形態例と同様の効果を得ることができる。
【００３４】
本考案の第５の実施の形態例に係る冷蔵庫について、図８〜図１０を参照して説明する。図８は足台装置の斜視図であって図中右側が冷蔵庫の前方側であり、図９は足台装置を冷蔵庫の正面から見た図であり、図１０は足台装置の動作ステップを説明するフローチャートである。
第５の実施の形態例に係る冷蔵庫３４は、足台装置３６が、冷蔵庫３４（図８では図示せず。）の本体の底面下に画成した空間部に設けられる踏み板３８と、踏み板３８を冷蔵庫３４の前方に前進および後退可能に駆動する駆動手段４２と、冷蔵庫３４の前方に前進した踏み板３８を昇降可能に駆動する駆動手段４０とを有する。
【００３５】
駆動手段４２は、冷蔵庫３４の本体に固定される押し出し用モータ６４を有し、押し出し用モータ６４の回転軸６４ａがジョイント６６を介してスクリューシャフト６８に結合される。また、冷蔵庫３４の加重を支える２つの冷蔵庫加重受け部７２ａ、７２ｂが設けられる。スクリューシャフト６８は冷蔵庫加重受け部７２ａ、７２ｂに形成される穴７４ａ、７４ｂを挿通して、冷蔵庫加重受け部７２ａ〜７２ｃに支承される。また、冷蔵庫加重受け部７２ａ、７２ｂの間にスクリューシャフト６８を挿通するねじ穴７５を有するキャリッジ接続具７６が設けられる。キャリッジ接続具７６には、後述する昇降装置ベース４４に一端が固定されたキャリッジ７８が固定される。
これにより、押し出し用モータ６４が駆動されて、スクリューシャフト６８が例えば正回転することで、キャリッジ接続具７６が前進し、キャリッジ７８に固定された昇降装置ベース４４が冷蔵庫３４の前方に露出する。一方、スクリューシャフト６８が例えば逆回転することで、昇降装置ベース４４が冷蔵庫３４の下面に引き込む。
【００３６】
駆動手段４０は、昇降装置ベース４４と、昇降装置用ベース４４に搭載される昇降用モータ４６と、１対の昇降用リンケージ４８ａ、４８ｂと、昇降用リンケージ４８ａ、４８ｂの後端脚部を接続するバー４８ｃとを有し、昇降用リンケージ４８ａ、４８ｂの間に踏み板３８が橋架される（図８では、奥側の昇降用リンケージ４８ｂは現れていない。）。昇降用モータ４６の回転軸４６ａがジョイント５０を介してスクリューシャフト５２に結合され、スクリューシャフト５２はバー４８ｃのねじ穴５４に結合される。昇降用リンケージ４８ａ、４８ｂの後端脚部は、昇降装置ベース４４上に設けられた、冷蔵庫３４の前後方向に伸びる１対のレール５６ａ、５６ｂに係合する。昇降装置ベース４４には、３本の支柱５８ａ〜５８ｃが設けられ、支柱５８ａ〜５８ｃは、冷蔵庫に固定された１対のレール６０ａ、６０ｂに係合する。また、昇降装置ベース４４には、２つの車輪６２、６２が設けられる。
これにより、昇降用モータ４６が駆動されて、スクリューシャフト５２が例えば正回転することで、バー４８ｃおよびレール５６ａ、５６ｂに係合する昇降用リンケージ４８ａ、４８ｂの後端脚部が水平方向（図８中、右側方向）に移動して１対の昇降用リンケージ４８ａ、４８ｂが立ち上がることによって踏み板３８が上昇する。一方、スクリューシャフト５２が例えば逆回転することで、踏み板３８が下降する。
なお、足台装置３６を動作させるメインスイッチ（メインＳＷ）８０が例えば図９に示すように冷蔵庫３４の前面下部に設けられ、例えば足に履いたスリッパの先端で押すことにより、オンする。
【００３７】
上記のように構成される冷蔵庫３４の足台装置３６は、以下のように動作する。
メインＳＷ８０をＯＮすると（Ｓ１）、前進処理が行われる（Ｓ２）。前進処理では、押し出し用モータ６４が駆動されて正回転し、レール６０ａ、６０ｂにガイドされて昇降装置ベース４４が前進し、昇降装置ベース４４に搭載された踏み板３８が冷蔵庫３４の前方に露出した時点で、リミットスイッチによって押し出し用モータ６４が停止し、昇降装置ベース４４の前進が停止される。
ついで、押し出し用モータ６４を停止させるリミットスイッチの信号を検出して、上昇処理が行われる（Ｓ３）。上昇処理では、昇降用モータ４６が駆動されて正回転し、踏み板３８が上昇して所定の高さまで上がった時点で、リミットスイッチによって昇降用モータ４６が停止する。この状態で、踏み板３８に足を乗せて冷蔵庫の最上部の収容部へ食品等を出し入れする作業を行う。これにより、第５の実施の形態例に係る冷蔵庫２６は、第１〜第４の実施の形態例と同様の効果を得ることができる。
【００３８】
ついで、冷蔵庫へ食品等を出し入れする作業を終了した後、再度メインＳＷ８０をＯＮすると（Ｓ４）、下降処理が行われる（Ｓ５）。下降処理では、昇降用モータ４６が駆動されて逆回転し、踏み板３８が下降して所定の高さまで下がった時点で、リミットスイッチによって昇降用モータ４６が停止する
ついで、昇降用モータ４６を停止するリミットスイッチの動作を検知して、後退処理が行われる（Ｓ６）。後退処理では、押し出し用モータ６４が駆動されて逆回転し、昇降装置ベース４４が後退し、昇降装置ベース４４に搭載された踏み板３８が冷蔵庫３４の下面に引き込まれた時点で、リミットスイッチによって押し出し用モータ６４が停止し、昇降装置ベース４４の後退が停止される。
これにより、冷蔵庫３４は、メインスイッチ８０を足先で押すだけで簡単に足台装置３６を動作させることができる。また、冷蔵庫３４へ食品等を出し入れする作業を行わないときには、足台装置３６が冷蔵庫３４の下部空間に完全に収容された状態となり、足台装置３６が邪魔となることがない。また、足台装置３６が冷蔵庫３４の側面や前面に設けられていないため、外観上好ましい。
【図面の簡単な説明】
【００３９】
【図１】本実施の形態の第１の例に係る冷蔵庫の斜視図である。
【図２】本実施の形態の第２の例に係る冷蔵庫において、足台装置を折り畳んだ状態を示す部分斜視図である。
【図３】本実施の形態の第２の例に係る冷蔵庫において、足台装置を前面カバーの前方に配置した状態を示す部分斜視図である。
【図４】本実施の形態の第３の例に係る冷蔵庫において、足台装置を折り畳んだ状態を示す部分斜視図である。
【図５】本実施の形態の第３の例に係る冷蔵庫において、足台装置を前面カバーの前方に配置した状態を示す部分斜視図である。
【図６】本実施の形態の第４の例に係る冷蔵庫において、足台装置を折り畳んだ状態を示す部分斜視図である。
【図７】本実施の形態の第４の例に係る冷蔵庫において、足台装置を前面カバーの前方に配置した状態を示す部分斜視図である。
【図８】本実施の形態の第５の例に係る冷蔵庫の足台装置の斜視図である。
【図９】本実施の形態の第５の例に係る冷蔵庫の部分正面図である。
【図１０】本実施の形態の第５の例に係る冷蔵庫の動作を説明するためのフローチャートである。
【符号の説明】
【００４０】
１０、２２、２６、３０、３４  冷蔵庫
１２ａ〜１２ｄ  収容部
１４ａ〜１４ｄ  前面カバー
１６、２４、２８、３２、３６  足台装置
１８  取っ手
２０  凸面鏡
２４ａ、２８ａ、３８  踏み板
２４ｂ、２８ｂ  支持部材
２４ｃ、２４ｆ  突起
２４ｄ、２８ｄ  環状ホルダ
２８ｇ、３２ａ  脚部
４０、４２  駆動手段
４４  昇降装置ベース
４６  昇降用モータ
４６ａ  回転軸
４８ａ、４８ｂ  昇降用リンケージ
４８ｃ  バー
５０、６６  ジョイント
５２、６８  スクリューシャフト
５６ａ、５６ｂ、６０ａ、６０ｂ  レール
５８ａ〜５８ｃ  支柱
６２  車輪
６４  押し出し用モータ
６４ａ  回転軸
７２ａ、７２ｂ  冷蔵庫加重受け部
７６  キャリッジ接続具
７８  キャリッジ
７８が固定される。
８０  メインスイッチ
【図１】
0003116505.tif 000003
【図２】
0003116505.tif 000004
【図３】
0003116505.tif 000005
【図４】
0003116505.tif 000006
【図５】
0003116505.tif 000007
【図６】
0003116505.tif 000008
【図７】
0003116505.tif 000009
【図８】
0003116505.tif 000010
【図９】
0003116505.tif 000011
【図１０】
0003116505.tif 000012